(57)【特許請求の範囲】
【請求項１】
排水ホースから流出する洗濯廃水等を排水する排水トラップにおいて、
前記排水トラップのホースジョイントが回転可能に設けられ、該ホースジョイントの回転軸中心を軸中心として回転可能とした前記排水ホースを固定するためのホース固定用回動機構を前記排水トラップに設けたことを特徴とする排水トラップ。
【請求項２】
前記ホース固定用回動機構が、前記ホースジョイントの回転軸中心を軸中心として回転するホース固定用回動板と、前記ホースジョイントに差し込まれた前記排水ホースの先端の掛止部に係合し、かつ該排水ホースを跨いで前記ホース固定用回動板の先端部に係合させて前記排水ホースを固定するホース固定バンドとからなることを特徴とする請求項１に記載の排水トラップ。
【請求項３】
前記ホース固定バンドが、前記ホース固定用回動板の先端部の係合孔に係合させるための係合突起を両脚部に備えたコ字状部材であることを特徴とする請求項２に記載の排水トラップ。
【発明の詳細な説明】
【技術分野】
【０００１】
本発明は、洗い場或いはバスルームやマンションの台所、洗面所、ベランダ或いは各種キャビネット内など床面の排水口に取り付けられる排水トラップ、特に洗濯機などの排水ホースを接続連結する排水トラップに関し、詳しくは、排水ホースが排水トラップのホースジョイントから不用意に外れることがない排水トラップに関するものである。
【背景技術】
【０００２】
従来の排水トラップは、洗濯機の排水ホースから排出される廃水を床下に配設した排水管に案内するためのものであり、洗濯機では床面に設置した防水パンに載置され、排水トラップが防水パンに設置される。洗濯機の排水ホースは、洗濯機の左右何れかから導出されて排水トラップのホースジョイントに接続される。図６（ａ），（ｂ）は、従来の排水トラップ及び防水パンの一例を示すものであり、防水パンＰが床面に設置され、排水トラップ本体１が防水パンＰの片側に偏った位置に設けられている。排水トラップ本体１の内部に排水カップ２が設けられ、排水カップ２の上部には、屈曲したホースジョイント３が設けられる。ホースジョイント３は案内筒に設けられ、ホースジョイント３の接続部の周囲には、スプリングパッキン８を噛ませて目皿受を設けて目皿受に目皿４が設けられている。排水カップ２の接続部２ａには排水配管５が接続され、ホースジョイント３の先端部には排水ホース６が接続され、排水ホース６が固定バンド７で固定されている。（例えば、特許文献１参照）
【０００３】
【特許文献１】実用新案登録第３０９２１２４３号公報（明細書全文、図面全図）
【発明の開示】
【発明が解決しようとする課題】
【０００４】
近年では、防水パンの略中央部分に排水トラップの取付孔が設けられ、ホースジョイントを回転可能とし、洗濯機の排水ホースが左右何れの側から導出されていても対応できるように形成されている。排水ホースはホースジョイントの先端部に接続されて固定バンドで固定されているが、排水ホースを無理に屈曲させて取り付けたり、固定バンドによる締め付けが緩かった場合などでは、防水パンの清掃時に洗濯機を移動させた際、排水ホースが抜け易いといった問題があり、洗濯機の真下に排水トラップが位置していることもあって、排水パンに排水が溢れだして初めて排水ホースがホースジョイントから外れていることに気が付き難くといったこともあった。
【０００５】
また、洗い場或いはバスルームやマンションの台所、洗面所、ベランダ或いは各種キャビネット内などでは、防水パンを用いることなく、床面に設けた排水孔に排水トラップを設けられており、排水ホースが排水トラップのホースジョイントから容易に外れることがないような構造を有する排水トラップが望まれている。
【０００６】
本発明は、上述のような課題に鑑みなされたものであって、洗濯機などの排水ホースが容易に外れることがない構造を有する排水トラップを提供することを目的とするものである。
【課題を解決するための手段】
【０００７】
本発明は、上記課題を解決したものであって、請求項１の発明は、排水ホースから流出する洗濯廃水等を排水する排水トラップにおいて、
前記排水トラップのホースジョイントが回転可能に設けられ、該ホースジョイントの回転軸中心を軸中心として回転可能とした前記排水ホースを固定するためのホース固定用回動機構を前記排水トラップに設けたことを特徴とする排水トラップである。
【０００８】
また、請求項２の発明は、前記ホース固定用回動機構が、前記ホースジョイントの回転軸中心を軸中心として回転するホース固定用回動板と、前記ホースジョイントに差し込まれた前記排水ホースの先端の掛止部に係合し、かつ該排水ホースを跨いで前記ホース固定用回動板の先端部に係合させて前記排水ホースを固定するホース固定バンドとからなることを特徴とする請求項１に記載の排水トラップである。
【０００９】
また、請求項３の発明は、前記ホース固定バンドが、前記ホース固定用回動板の先端部の係合孔に係合させるための係合突起を両脚部に備えたコ字状部材であることを特徴とする請求項２に記載の排水トラップである。
【発明の効果】
【００１０】
請求項１の発明では、排水ホースから流出する洗濯廃水等を排水する排水トラップにおいて、前記排水トラップのホースジョイントが回転可能に設けられ、該ホースジョイントの回転軸中心を軸中心として回転可能とした前記排水ホースを固定するためのホース固定用回動機構を前記排水トラップに設けたことを特徴とする排水トラップであるので、防水パンの清掃などで洗濯機を移動した際に、ホースジョイントとともにホース固定用回動機構が回動し、ホース固定用回動機構に固定された排水ホースが共に回動するように構成されおり、ホースジョイントに接続された排水ホースに抜脱力が加わり難く、排水ホースがホースジョイントから外れることがない利点がある。また、本発明の排水トラップは、排水ホースが排水トラップのホースジョイントから容易に抜脱されないので、従来、防水パンを使用して水漏れに対処していたが、防水パンをも排除することを可能にするものである。無論、本発明の排水トラップを防水パンに一体に組み込んで使用することができる。
【００１１】
また、請求項２の発明は、前記ホース固定用回動機構が、前記ホースジョイントの回転軸中心を軸中心として回転するホース固定用回動板と、前記ホースジョイントに差し込まれた前記排水ホースの先端の掛止部に係合し、かつ該排水ホースを跨いで前記ホース固定用回動板の先端部に係合させて前記排水ホースを固定するホース固定バンドとからなることを特徴とする請求項１に記載の排水トラップであるので、排水ホースに抜脱力が加わったとしてもホース固定バンドをホース固定用回動板から抜かない限り、排水ホースの先端に設けられた掛止部にホース固定バンドが係合し、排水ホースがホースジョイントから抜脱されることがなく、ホース固定バンドを人為的に取り去らない限り、排水ホースに抜脱することができない構造となっており、また、さらに排水ホースの先端部を緊縮する既設のホースバンド金具と併用すれば、排水ホースの抜けに対し、二重の安全性が確保することができ、水漏れの観点から安全性が極めて良好な排水トラップとすることができる。
【００１２】
また、請求項３の発明は、前記ホース固定バンドが、前記ホース固定用回動板の先端部の係合孔に係合させるための係合突起を両脚部に備えたコ字状部材であることを特徴とする請求項２に記載の排水トラップであるので、ホース固定用回動板の先端部の係合孔にコ字状部材の両脚部の係合突起を差し込むだけで排水ホースをホース固定用回動板の先端部に固定することができる。ホース固定バンドは、従来の固定バンドのように長期間使用したとしても固定バンドの締め付け力に弛みが発生することがない利点がある。
【発明を実施するための最良の形態】
【００１３】
以下、本発明に係る排水トラップについて、図面を参照して説明する。先ず、本発明の排水トラップは、洗い場或いはバスルームやマンションの台所、洗面所、ベランダ或いは各種キャビネット内などに設置されるものであり、防水パンに本発明の排水トラップを一体に組み込んで使用することも可能であるが、防水パンを使用することなく、床面に排水トラップを設置することが可能な排水トラップに関するものであり、以下、後者の使用例の排水トラップについて図面を参照し説明する。
【００１４】
なお、図１は本実施形態を示す排水トラップの上部断面図である。図２（ａ）はホース固定用回動板の上面図であり、図２（ｂ）はその断面図であり、図２（ｃ）はその正面図である。図３（ａ）は回動板受部材であり、図３（ｂ）はその断面図である。図４はホース固定用回動板を示す概略分解図である。図５（ａ）はホース固定用回動板に排水ホースを固定した状態を示す上面図であり、図５（ｂ）はそのＡＡ矢視に沿った断面断面図である。
【００１５】
図１〜図５を参照し、本実施形態の排水トラップについて説明する。図１の排水トラップの上部断面に示すように、排水トラップ１０は、排水を排水管Ｃに流しつつ臭気などの発生を防止すためのものであり、床面Ａに設けられた床面開口部Ｂから突出する排水管Ｃの突出部の周囲に、ホース固定カバー受け部材１１が装着され、その周囲にホース固定用回動板１２が床面Ａ上に回転自在に載置される。ホース固定用回動板１２にはホース接続部１３が載置固定される。ホース接続部１３は、円筒状部材１３ａにフランジ部１３ｂが形成され、このフランジ部１３ｂにネジ部１３ｃが形成されたものであり、円筒状部材１３ａは排水管Ｃに挿入され、ネジ部１３ｃの外周のフランジ部１３ｂに設けたネジ孔にネジＳを差込んで床に螺合することによって、ホース接続部１３はホース固定カバー受け部材１１上に載置固定される。ホース固定カバー受け部材１１に周囲に装着されたホース固定用回動板１２は、ホース固定カバー受け部材１１の中心を回転軸として回転自在に保持される。
【００１６】
ホース接続部１３の円筒状部材１３ａの内周側には、円筒状のスロート１５が設けられ、スロート１５の外周にリング状のパッキン１４が挿入されてネジ部１３ｃの内周側に載置される。このスロート１５には、屈曲したホースジョイント１６が差し込まれる。ホースジョイント１６は、排水ホース６が取り付けられるとともに、排水管Ｃに接続するものであり、ホースジョイント１６は、管状部分１６ａの外周にテーパー状フランジ１６ｂが設けられて屈曲した管状部分１６ｃが形成され、管状部分１６ｃの先端部分に排水ホース６の取付部１６ｄが形成されている。このホースジョイント１６には、パッキンホルダー１７が差し込まれてパッキンホルダー１７の内面側に設けられたテーパー部分１７ａをテーパー状フランジ１６ｂに接触させ、ホース接続部１３のネジ部１３ｃにパッキンホルダー１７の内部に形成されたネジ部１７ｂを螺合させて緊縮することによって、ホースジョイント１６はホース接続部１３に接続される。パッキンホルダー１７により保持されたホースジョイント１６は、パッキン１４面を摺動しながら回転可能に保持されている。また、ホースジョイント１６はスロート１５を噛み込んでおり、排水管Ｃ内からの臭気が完全に遮断されている。
【００１７】
ホース固定用回動板１２は、図２に示したように、ホース固定カバー受け部材１１が挿入される環状孔１２ａが形成され、上面形状は環状孔１２ａの中心にして横方向に広がった舌片形状であり、舌片形状の先端部分に円弧状部分による排水ホース受部１２ｂが形成され、排水ホース受部１２ｂの両側に開口部１２ｃが設けられている。この開口部１２ｃには、ホース固定バンド１８の両脚部１８ａに設けられた係合突起１８ｂが挿入され、ホース固定バンド１８は、排水ホース受部１２ｂに載置された排水ホース６の両脚部１８ａが排水ホース６を跨ぐように装着されてホース固定用回動板１２にワンタッチで固定することができる。
【００１８】
なお、ホース固定カバー受け部材１１は、図３に示したように、リング形状であり、内側円形開口部１１ａには排水管Ｃが挿通され、その外周側には凹部１１ｂが形成されており、ネジＳでパッキンホルダー１７を床面Ａに固定する際、ネジＳがこの凹部１１ｂに差し込まれることによって、ホース固定カバー受け部材１１は床面Ａに固定される。
【００１９】
続いて、図４，図５を参照し、排水ホース６をホース固定用回動板１２に固定し回転可能にしたホース固定用回動機構について説明する。図４は、配水管Ｃとホースジョイント１６とを接続する部分を示し、かつホース固定バンド１８をホース固定用回動板１２の先端部分に装着する斜視図を示し、図５は排水ホース６を固定した図を示している。ホース固定バンド１８はコ字状部材であり、その両脚部１８ａの先端にそれぞれ係合突起１８ｂが設けられている。ホースジョイント１６の先端に接続された排水ホース６は、ホース固定用回動板１２の先端の円弧状の排水ホース受部１２ｂに載置され、ホース固定バンド１８の脚部１８ａ間に排水ホース６が陥入するように、ホース固定バンド１８を押すことによって、脚部１８ａの先端の係合突起１８ｂが、排水ホース受部１２ｂの両側に設けられた係合孔１２ｃに嵌合し、ホース固定バンド１８が排水ホース６を跨ぐように装着され、係合突起１８ｂの中側に設けた凹嵌部１８ｃに係合孔１２ｃの側壁が嵌合して固定される。また、排水ホース６の先端に設けられた掛止部６ａは、ホース固定バンド１８に掛合し、排水ホース６がホースジョイント１６から脱抜されるのを防止している。さらに、ホースジョイント１６の先端に差し込まれた排水ホース６の先端部を、既設のホースバンド金具１９で緊縮すれば、排水ホース６の抜けを一層防止することができる。
【００２０】
即ち、本発明の排水トラップは、ホース固定用回動機構が設けられることによって、ホース固定用回動板１２がホースジョイント１６の回転軸中心を軸心として回動可能とするとともに、ホースジョイント１６の先端に接続された排水ホース６が、ホース固定用回動板１２の先端部の排水ホース受部１２ｂに載置してホース固定バンド１８で固定されるので、ホース固定用回動板１２とともに３６０°回転させることが可能となる。従って、排水ホースは、異常な屈曲状態で排水トラップに接続されることがなく、無理のない接続状態に保持することが可能であり、不用意に排水ホースがホースジョイントから抜脱されることがない。
【００２１】
なお、上記実施形態では、排水トラップを床面に設置する例について説明したが、防水パンに設置することも可能であり、その場合、ホース固定用回動板は、防水パンの載置面を回転可能に構成されることになる。また、排水トラップは、上記実施形態のように、排水管に直接接続する配管構造であってもよいし、配水カップを設けた配水管構造であってもよい。
【産業上の利用可能性】
【００２２】
本発明の活用例としては、洗い場或いはバスルームやマンションの台所、洗面所、ベランダ或いは各種キャビネット等の排水トラップとして利用することができる。
【図面の簡単な説明】
【００２３】
【図１】図１は本実施形態を示す排水トラップの上部断面図である。
【図２】図２（ａ）はホース固定用回動板の上面図であり、図２（ｂ）はその断面図であり、図２（ｃ）はその正面図である。
【図３】図３（ａ）は回動板受部材であり、図３（ｂ）はその断面図である。
【図４】図４はホース固定用回動板を示す概略分解図である。
【図５】図５（ａ）はホース固定用回動板に排水ホースを固定した状態を示す上面図であり、図５（ｂ）はそのＡＡ矢視に沿った断面断面図である。
【図６】（ａ）は、従来の排水トラップの要部断面図であり、（ｂ）は排水トラップを防水パンに設置した例を示す要部断面図である。
【符号の説明】
【００２４】
６  排水ホース
６ａ  掛止部
１０  排水トラップ
１１  ホース固定カバー受け部材
１２  ホース固定用回動板
１２ａ  環状孔
１２ｂ  排水ホース受部
１２ｃ  係合孔
１３  ホース接続部
１３ａ  円筒状部材
１３ｂ  フランジ部
１３ｃ  ネジ部
１４  パッキン
１５  スロート
１６  ホースジョイント
１６ａ  管状部分
１６ｂ  テーパー状フランジ
１６ｃ  管状部分
１６ｄ  取付部
１７  パッキンホルダー
１７ａ  テーパー部分
１７ｂ  ネジ部
１８  ホース固定バンド
１８ａ  脚部
１８ｂ  係合突起
１９  ホースバンド金具
Ａ  床面
Ｂ  床面開口部
Ｃ  排水管
Ｓ  ネジ
【図１】
0004672533.tif 000002
【図２】
0004672533.tif 000003
【図３】
0004672533.tif 000004
【図４】
0004672533.tif 000005
【図５】
0004672533.tif 000006
【図６】
0004672533.tif 000007